(57)【特許請求の範囲】
【請求項１】
複数の端末を有し、上記各端末間で時分割で通信を行なうような無線通信システムにおいて、
上記各端末の受信側は、
受信信号のレベルが所定のレベルとなるように制御することによりＡＧＣ制御値を生成するＡＧＣ制御手段と、
それぞれの送信を行なっている端末毎に上記ＡＧＣ制御値を保存する制御値記憶手段と、
上記受信信号の情報に基づいて送信を行なっている端末を判断する送信端末判断手段とを備え、
上記送信端末判断手段の判断結果に基づいて、上記送信を行なっている端末に対応するＡＧＣ制御値を上記制御値記憶手段から読み出して上記ＡＧＣ制御値として用いるようにしたことを特徴とする無線通信システム。
【請求項２】
受信信号のレベルが所定のレベルとなるように制御することによりＡＧＣ制御値を生成するＡＧＣ制御手段と、
送信を行なっている端末毎に上記ＡＧＣ制御値を保存する制御値記憶手段と、上記受信信号の情報に基づいて送信を行なっている端末を判断する送信端末判断手段とを備え、
上記送信端末判断手段の判断結果に基づいて、上記送信を行なっている端末に対応するＡＧＣ制御値を上記制御値記憶手段から読み出して上記ＡＧＣ制御値として用いるようにしたことを特徴とする端末装置。
【請求項３】
上記送信端末判断手段は、ポーリング情報から送信を行なう端末を判断するようにした請求項２に記載の端末装置。
【請求項４】
上記送信端末判断手段は、予約情報から送信を行なう端末を判断するようにした請求項２に記載の端末装置。
【請求項５】
上記送信端末判断手段は、ポーリング情報と予約情報とから送信を行なう端末を判断するようにした請求項２に記載の端末装置。
【請求項６】
上記ＡＧＣ制御手段は、無線フレーム中に予め定められた制御領域のスロットでの受信レベルを検出するようにした請求項２に記載の端末装置。
【請求項７】
上記ＡＧＣ制御手段は、無線フレーム中に予め定められたデータ領域での受信レベルを検出するようにした請求項２に記載の端末装置。
【請求項８】
複数のアンテナ手段と、
上記複数のアンテナ手段の受信出力を切り換えるアンテナ切り換え手段と、
受信信号のレベルが所定のレベルとなるように制御することによりＡＧＣ制御値を生成するＡＧＣ制御手段と、
上記複数のアンテナ手段のそれぞれに対して設けられ、それぞれの端末毎に上記ＡＧＣ制御値を保存する制御値記憶手段とを備え、
上記複数のアンテナの中から信号を受信しているアンテナを判断し、上記信号を受信しているアンテナに対応するＡＧＣ制御値を上記制御値記憶手段から読み出して上記ＡＧＣ制御値として用いるようにしたことを特徴とする端末装置。
【発明の詳細な説明】
【０００１】
【発明の属する技術分野】
この発明は、複数の端末を無線で接続する無線ＬＡＮ（Ｌｏｃａｌ  Ａｒｅａ  Ｎｅｔｗｏｒｋ）に用いて好適な無線通信システム及び端末装置に関する。
【０００２】
【従来の技術】
コンピュータの高機能化に伴い、複数のコンピュータを接続してＬＡＮを構成し、ファイルやデータの共有化を図ったり、電子メールやデータの転送を行うことが盛んに行われている。従来のＬＡＮは、光ファイバや同軸ケーブル、あるいはツィストペアケーブルを用いて、有線で各コンピュータが接続されている。ところが、このような有線によるＬＡＮでは、接続のための工事が必要であり、手軽にＬＡＮを構築することが難しいと共に、ケーブルが煩雑になる。
【０００３】
そこで、従来の有線方式によるＬＡＮの配線からユーザを解放するシステムとして、無線ＬＡＮが注目されている。特に、近年、情報のマルチメディア化が進み、画像データや音声データのようなデータ量の大きく、高速伝送が要求されるデータが扱われることが多くなってきている。このことから、ＩＥＥＥ１３９４のインターフェースが注目を集めており、このＩＥＥＥ１３９４のデータを無線で送れるような無線ＬＡＮが要望されている。
【０００４】
無線ＬＡＮを構築する場合には、コンピュータや周辺機器に無線通信ユニットが接続される。無線通信ユニットは、各無線通信端末間でデータを無線で送れるように、データを所定の変調方式で変復調して送受信すると共に、各無線通信端末間のデータの伝送手順や伝送のタイミングを制御している。このような無線ＬＡＮの制御方式としては、ＣＳＭＡ／ＣＡ（Ｃａｒｒｉｅｒ  Ｓｅｎｃｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）方式が知られている。
【０００５】
【発明が解決しようとする課題】
従来、このような無線ＬＡＮ（Ｌｏｃａｌ  Ａｒｅａ  Ｎｅｔｗｏｒｋ）において、無線通信端末が複数ある場合には、各無線通信端末からの受信信号の信号強度は変わってくるため、データ伝送を行なう相手方の無線通信端末が変わる毎に、ＡＧＣ（Ａｕｔｏｍａｔｉｃ  Ｇａｉｎ  Ｃｏｎｔｒｏｌ）を引き込み直す必要がある。このため、従来では、フレーム内の所定の位置にＡＧＣ制御のためのシンボルが設けられ、このシンボルを検出して、ＡＧＣ制御を行なうようにしている。
【０００６】
つまり、図１４は、従来の無線ＬＡＮの１フレームの構成を示すものである。図１４に示すように、１フレームの先頭にはＡＧＣのためのシンボルが設けられる。これに続いて、スタートシンボルと、ユニークワードが設けられ、これに続いてデータが伝送される。
【０００７】
各無線通信端末を構成する無線通信ユニットでは、無線通信端末からの信号を受信すると、１フレームの先頭のＡＧＣのためのシンボルの受信信号の信号レベルが検出される。そして、この受信信号の信号レベルが所定のレベルとなるように、受信信号に対するゲインが制御される。このようなＡＧＣ制御により受信信号の信号レベルが所定のレベルとなるように制御されて、データの受信が行なわれる。
【０００８】
このように、従来の無線ＬＡＮでは、各無線通信端末を構成する無線通信ユニットでは、信号を受信する毎に、ＡＧＣループを引き込むための時間が必要になる。この時間は、無線資源の無駄使いになるばかりでなく、伝送遅延時間の増大を招くという欠点がある。
【０００９】
特に、ＩＥＥＥ１３９４のデータを無線で伝送するような無線ＬＡＮでは、高速性が要求される。このため、ＡＧＣのための制御時間を短くし、レスポンスを高速化することが望まれる。また、ＡＧＣのための特別なシンボルがあると、オーバヘッドが増大するため、このような特別なシンボルが不要であることが望まれる。
【００１０】
したがって、この発明の目的は、複数の無線通信端末からの各信号に対してＡＧＣ回路のレスポンスを高速で行なえる無線通信システム及び端末装置を提供することにある。
【００１１】
【課題を解決するための手段】
請求項１記載の発明は、複数の端末を有し、各端末間で時分割で通信を行なうような無線通信システムにおいて、各端末の受信側は、受信信号のレベルが所定のレベルとなるように制御することによりＡＧＣ制御値を生成するＡＧＣ制御手段と、それぞれの送信を行なっている端末毎にＡＧＣ制御値を保存する制御値記憶手段と、受信信号の情報に基づいて送信を行なっている端末を判断する送信端末判断手段とを備え、送信端末判断手段の判断結果に基づいて、送信を行なっている端末に対応するＡＧＣ制御値を制御値記憶手段から読み出してＡＧＣ制御値として用いるようにしたことを特徴とする無線通信システムである。
【００１２】
請求項２記載の発明は、受信信号のレベルが所定のレベルとなるように制御することによりＡＧＣ制御値を生成するＡＧＣ制御手段と、送信を行なっている端末毎にＡＧＣ制御値を保存する制御値記憶手段と、受信信号の情報に基づいて送信を行なっている端末を判断する送信端末判断手段とを備え、送信端末判断手段の判断結果に基づいて、送信を行なっている端末に対応するＡＧＣ制御値を制御値記憶手段から読み出してＡＧＣ制御値として用いるようにしたことを特徴とする端末装置である。
【００１３】
請求項８記載の発明は、複数のアンテナ手段と、複数のアンテナ手段の受信出力を切り換えるアンテナ切り換え手段と、受信信号のレベルが所定のレベルとなるように制御することによりＡＧＣ制御値を生成するＡＧＣ制御手段と、複数のアンテナ手段のそれぞれに対して設けられ、それぞれの端末毎にＡＧＣ制御値を保存する制御値記憶手段とを備え、複数のアンテナの中から信号を受信しているアンテナを判断し、信号を受信しているアンテナに対応するＡＧＣ制御値を制御値記憶手段から読み出してＡＧＣ制御値として用いるようにしたことを特徴とする端末装置である。
【００１４】
送信を行なっている端末毎に、ＡＧＣの制御値がＲＡＭに保存されており、送信を行なっている端末が判断され、送信を行なっている端末に対応する制御値がＲＡＭから読み出されて、ＡＧＣ制御が行なわれる。これにより、送信を行なっている端末が変わっても、高速でＡＧＣループが追従できる。また、この発明によれば、フレーム中に、ＡＧＣのための特別な領域が不要であり、オーバヘッドが改善される。更に、ダイバシティーアンテナを用いた場合には、各アンテナ毎にＡＧＣの制御値をＲＡＭに保存しておくことにより、高速でＡＧＣループが追従できる。
【００１５】
【発明の実施の形態】
以下、この発明の実施の形態について図面を参照して説明する。図１は、この発明が適用された無線ＬＡＮシステムの概要を示すものである。この発明が適用された無線ＬＡＮシステムは、複数の無線通信端末１Ａ、１Ｂ、１Ｃ…とからなる。無線通信端末１Ａ、１Ｂ、１Ｃ…は、コンピュータ等のデータ端末３Ａ、３Ｂ、３Ｃ、…に、無線通信ユニット４Ａ、４Ｂ、４Ｃ…を接続して構成される。なお、これらの無線通信端末１Ａ、１Ｂ、１Ｃ…中で、１つの無線通信端末は制御局とされ、他の無線通信端末が端末局となる。ここでは、無線通信端末１Ｃが制御局とされており、他のこの無線通信端末１Ａ、１Ｂ、…が端末局とされている。
【００１６】
無線通信端末１Ａ、１Ｂ、１Ｃ…側の各無線通信ユニット４Ａ、４Ｂ、４Ｃ…は、夫々、送信部１１Ａ、１１Ｂ、１１Ｃ…、受信部１２Ａ、１２Ｂ、１２Ｃ…、制御部１３Ａ、１３Ｂ、１３Ｃ…からなる。送信部１１Ａ、１１Ｂ、１１Ｃ…、受信部１２Ａ、１２Ｂ、１２Ｃ…は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式により無線でデータ通信を行える構成とされている。ＯＦＤＭ方式は、互いに直交する複数の搬送波を使ってデータを変調して送信するものである。
【００１７】
各無線通信端末１Ａ、１Ｂ、１Ｃ、…間のデータは、フレーム内でＴＤＭＡ（Ｔｉｍｅ  Ｄｉｖｓｉｏｎ  Ｍｕｌｔｉｐｌｅ  Ａｃｃｅｓｓ）方式で伝送される。１フレームは例えば４ｍｓｅｃであり、例えば、図２に示すように、制御領域ＡＲ１とユーザ領域ＡＲ２とからなる。制御領域ＡＲ１は、各端末間で、制御データを送るために設けられている。制御領域ＡＲ１の先頭には、同期用のシンボルＭＳが割り当てられる。このシンボルＭＳとしては、例えば、Ｍ系列（Ｍａｘｉｍｕｍ  Ｌｅｎｇｔｈ  Ｃｏｄｅ  ）が用いられる。これに続いて、各無線通信端末間で制御データをやり取りする制御スロットＳ１、Ｓ２、Ｓ３、…が割り当てられる。
【００１８】
ユーザ領域ＡＲ２は、各無線通信端末間でユーザデータを伝送するのに用いられる。ＩＥＥＥ１３９４のインターフェースでは、等時伝送モードと、非同期伝送モードとがサポートされている。等時伝送モードでは、遅延時間が保証されており、ビデオデータやオーディオデータのような高速のデータが伝送される。非同期モードでは、コマンドのような、遅延時間は問題とならないが確実な伝送が要求されるデータが伝送される。
【００１９】
このようなＩＥＥＥ１３９４のインターフェースのデータが送られるように、ユーザ領域ＡＲ２は、等時データ領域Ｄ−ＩＳＯと、非同期データ領域Ｄ−ＡＳＹＮＣとに分けられる。等時データ領域Ｄ−ＩＳＯと、非同期データ領域Ｄ−ＡＳＹＮＣとの割り当ては、ユーザ領域を有効活用できるように、等時データ領域Ｄ−ＩＳＯの帯域が確保され、残った帯域が非同期データ領域Ｄ−ＡＳＹＮＣとして割り当てられる。
【００２０】
図１に示した無線ＬＡＮシステムでは、無線通信端末１Ｃがシステム全体を制御する制御局として機能し、他の無線通信端末１Ａ、１Ｂ、…は、端末局となる。システムを構成する場合、先ず、電源投入により、無線通信端末１Ａ、１Ｂ、１Ｃ、…の動作が開始されると、制御領域ＡＲ１の制御スロットＳ１、Ｓ２、Ｓ３、…を使って各端末の情報がやり取りされ、制御局とされた無線通信端末１Ｃにある資源情報メモリ１５に、システム中にある無線通信端末１Ａ、１Ｂ、…の情報が登録される。
【００２１】
また、このとき、無線通信端末１Ａ、１Ｂ、１Ｃ、…を構成する無線通信ユニット４Ａ、４Ｂ、４Ｃ、…の受信部１２Ａ、１２Ｂ、１２Ｃ、…では、ＡＧＣ制御が行なわれる。そして、ＡＧＣループの引き込みが完了すると、このＡＧＣ制御値が受信する端末毎に蓄えられる。
【００２２】
すなわち、図３に示すよう、例えば、制御領域ＡＲ１の制御スロットＳ１、Ｓ２、Ｓ３、…は、夫々、端末１Ａ、１Ｂ、１Ｃ、…から送信する制御信号のスロットであるとする。無線通信端末１Ａは、先ず、制御スロットＳ２の信号の受信レベルを用いてＡＧＣ制御を行ない、図４に示すように、このときのＡＧＣ制御値を、無線端末１Ｂからの信号のＡＧＣ制御値Ｄ−ＡＧＣ２として取り込む。次に、制御スロットＳ３の信号の受信レベルを用いてＡＧＣ制御を行ない、このときのＡＧＣ制御値を、無線端末１Ｃからの信号のＡＧＣ制御値Ｓ−ＡＧＣ３として取り込む。このようにして、無線通信端末１Ａには、他の端末１Ｂ、１Ｃ、…からの信号を受信したときのＡＧＣ制御値Ｓ−ＡＧＣ２、Ｓ−ＡＧＣ３、…が取り込まれる。
【００２３】
同様に、無線通信端末１Ｂは、制御領域ＡＲ１の制御スロットＳ１、Ｓ３、…の信号の受信レベルを用いてＡＧＣ制御を行ない、このときのＡＧＣ制御値を他の端末１Ａ、１Ｃ、…からの信号を受信したときのＡＧＣ制御値Ｓ−ＡＧＣ１、Ｓ−ＡＧＣ３、…として取り込む。無線通信端末１Ｃは、制御領域ＡＲ１の制御スロットＳ１、Ｓ２、…の信号の受信レベルを用いてＡＧＣ制御を行ない、他の端末１Ａ、１Ｂ、…からの信号を受信したときのＡＧＣ制御値Ｓ−ＡＧＣ１、Ｓ−ＡＧＣ２、…として取り込む。
【００２４】
各端末間でデータの伝送を行なう場合には、制御局とされた無線端末１Ｃにより、スロットの割り当てや帯域の確保が行なわれる。また、無線通信端末１Ａ、１Ｂ、１Ｃ、…は、上述のように、他の端末からの信号を受信したときのＡＧＣ制御値が蓄積されており、受信している信号がどの端末から到来しているかに応じて、ＡＧＣ制御値が切り換えられる。
【００２５】
例えば、図５は、ポーリングパケットの場合のＡＧＣ制御値の切り換え制御の一例を示すものである。図５では、無線通信端末１Ｂでの処理が示されているものとする。無線通信端末１Ｂは、それまで、制御局とされた無線通信端末１Ｃからの信号を受信している。この間では、ＡＧＣ制御値は、制御局とされた無線通信端末１Ｃを受信したときの制御値Ｓ−ＡＧＣ３となっている。
【００２６】
そして、フレームＦ１で、ポーリングパケットを受け取ったとする。ポーリングパケットには宛先が書かれており、次の通信は、宛先で示される端末から送信される。図３では、フレームＦ１のポーリングパケットには、無線通信端末１Ａが書かれている。したがって、この場合には、次のＡＧＣの制御値は、無線通信端末１Ａを受信したときの制御値Ｓ−ＡＧＣ１に切り換えられる。
【００２７】
このようにして、ポーリングパケットの場合には、ポーリングパケットを受信し、このポーリングパケットに書かれている宛先に基づいてＡＧＣ制御値を切り換えることで、送信している端末に応じて、ＡＧＣ制御値が切り換えられる。
【００２８】
図６は、ノード割り当ての場合のＡＧＣ制御値の切り換え制御の一例を示すものである。図６では、無線通信端末１Ｂでの処理が示されているものとする。無線通信端末１Ｂは、それまで、制御局とされた無線通信端末１Ｃからの信号を受信しているとする。この間では、ＡＧＣ制御値は、無線通信端末１Ｃを受信したときの制御値Ｓ−ＡＧＣ３となっている。そして、フレームＦ１１で、予約情報を受信したとする。この予約情報には、時点ｔ１  〜ｔ２  で無線通信端末１Ａからの送信が行なわれ、時点ｔ２  〜ｔ３  で無線通信端末１Ｂからの送信が行なわれと書かれていたとする。
【００２９】
この場合、次のＡＧＣの制御値は、この予約情報に書かれている内容に応じて設定され、時点ｔ１  〜ｔ２  では、ＡＧＣの制御値は、無線通信端末１Ａを受信したときの制御値Ｓ−ＡＧＣ１に切り換えられる。時点ｔ２  〜ｔ３  では、無線通信端末局１Ｂ自体が送信を行なうので、ＡＧＣの制御値は設定されない。
【００３０】
このように、ノード割り当て方式の場合には、予約情報を受信し、この予約情報に書かれている内容に基づいてＡＧＣ制御値を切り換えることで、信号を送信している端末に応じて、ＡＧＣ制御値が切り換えられる。そして、制御領域ＡＲ１のスロットのうち、信号を送信している端末の制御スロットＳ１、Ｓ３、…の信号の受信レベルからＡＧＣ制御が行なわれ、これによりＡＧＣ制御値が更新される。
【００３１】
なお、この場合、図３に示すように、１フレームに相当する４ｍ秒毎にＡＧＣが追従するようなる。無線ＬＡＮが家庭内等の準静的環境で使用されるとすると、信号レベルの変動は大きくないので、この間隔でＡＧＣ制御を行なえば、何等問題とならない。勿論、この他に、ユーサ領域ＡＲ２の信号を使ってＡＧＣを行なうようにしても良し、また、同期用のシンボルＭＳの受信レベルを用いるようにしても良い。
【００３２】
このように、ポーリングの場合にはポーリング情報を使って送信を行なう端末が判断でき、ノード割り当て方式の場合には、予約情報を使って送信を行なう端末が判断できる。勿論、ポーリング情報と予約情報とを組み合わせて送信を行なう端末を判断するようにしても良い。
【００３３】
図７は、無線通信端末１Ａ、１Ｂ、１Ｃ…の無線通信ユニット４Ａ、４Ｂ、４Ｃ…の構成を示すものである。
【００３４】
図７において、送信データは、通信コントローラ５１を介して入力される。通信コントローラ５１からの送信データは、ＤＱＰＳＫ変調回路５２に供給される。ＤＱＰＳＫ（Ｄｉｆｆｅｒｅｎｃｉａｌｌｙ  Ｅｎｃｏｄｅｄ  Ｑｕａｄｒａｔｕｒｅ  Ｐｈａｓｅ  Ｓｈｉｆｔ  Ｋｅｙｉｎｇ）変調回路５２により、送信データがＤＱＰＳＫで変調される。
【００３５】
ＤＱＰＳＫ変調回路５２の出力がシリアル／パラレル変換回路５３に供給される。シリアル／パラレル変換回路５３で、シリアルデータがパラレルデータに変換される。シリアル／パラレル変換回路５３の出力がＩＦＦＴ（Ｉｎｖｅｒｓｅ  Ｆａｓｔ  Ｆｏｕｒｉｅｒ  Ｔｒａｎｓｆｏｒｍ）回路５４に供給される。ＩＦＦＴ回路５４により、送信データが周波数領域のデータにマッピングされ、これが逆フーリエ変換され、時間領域のデータに変換される。ＩＦＦＴ回路５４の出力がパラレル／シリアル変換回路５５に供給される。
【００３６】
シリアル／パラレル変換回路５３、ＩＦＦＴ回路５４、パラレル／シリアル変換回路５５は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式によりマルチキャリアの信号に変換するものである。
【００３７】
パラレル／シリアル変換回路５５の出力が周波数変換回路５７に供給される。周波数変換回路５７には、ＰＬＬシンセサイザ５８から局部発振信号が供給される。周波数変換回路５７により、送信信号が所定の周波数に変換される。
【００３８】
周波数変換回路５７の出力がパワーアンプ５９に供給される。パワーアンプ５９で、送信信号が電力増幅される。パワーアンプ５９の出力がスイッチ回路６０の端子６０Ａに供給される。データ送信時には、スイッチ回路６０は、端子６０Ａ側に切り換えられる。スイッチ回路６０の出力がアンテナ６１に供給される。
【００３９】
アンテナ６１からの受信信号は、スイッチ回路６０に供給される。データ受信時には、スイッチ回路６０は、端子６０Ｂ側に切り換えられる。スイッチ回路６０の出力は、ＬＮＡ（Ｌｏｗ  Ｎｏｉｓｅ  Ａｍｐｌｉｆｉｅｒ  ）６２を介して増幅された後、周波数変換回路６３に供給される。
【００４０】
周波数変換回路６３には、ＰＬＬシンセサイザ６８から局部発振信号が供給される。周波数変換回路６３により、受信信号が中間周波数信号に変換される。周波数変換回路６３の出力がＡＧＣ回路６４に供給される。ＡＧＣ回路６４は、受信信号の信号レベルを検出し、受信信号の信号レベルと基準レベルとを比較し、受信信号の信号レベルが一定となるように制御するものである。
【００４１】
ＡＧＣ回路６４には、各端末毎にＡＧＣの制御値を蓄積するメモリ領域が設けられている。そして、信号受信時には、信号を送信している端末に応じて、メモリ領域からこれに対応するＡＧＣ制御値が読み出される。このように、信号を送信している端末に応じて、メモリ領域からこれに対応するＡＧＣ制御値が読み出すことにより、ＡＧＣループを素早く引き込むことができる。そして、受信信号の信号レベルの検出は、１フレームの制御領域ＡＲ１の制御スロットＳ１、Ｓ２、…により行なわれる。
【００４２】
ＡＧＣ回路６４の出力がシリアル／パラレル変換回路６５に供給される。シリアル／パラレル変換回路６５の出力がＦＦＴ回路６６に供給される。ＦＦＴ回路６６の出力がパラレル／シリアル変換回路６７に供給される。シリアル／パラレル変換回路６５、ＦＦＴ回路６６、パラレル／シリアル変換回路６７は、ＯＦＤＭ方式の復調を行うものである。
【００４３】
パラレル／シリアル変換回路６７の出力がＤＱＰＳＫ復調回路６８に供給される。ＤＱＰＳＫ復調回路６８で、ＤＱＰＳＫの復調処理が行われる。ＤＱＰＳＫ復調回路６８の出力が通信コントローラ５１に供給される。通信コントローラ５１の出力から受信データが出力される。
【００４４】
全体の動作は、コントローラ６９により制御される。データの送信及びデータの受信は、コントローラ６９からの指令に基づいて、通信コントローラ５１により制御される。
【００４５】
図８は、ＡＧＣ回路６４の具体的な構成を示すものである。図８において、入力端子７１に中間周波信号が供給される。この入力端子７１からの中間周波信号は、ＶＧＡ（可変ゲインアンプ）７２に供給される。可変ゲインアンプ７２のゲインは、ループフィルタ７７から出力される設定値に応じて可変される。
【００４６】
ＶＧＡ７２の出力が出力端子７３から出力されると共に、信号レベル検出回路７４に供給される。信号レベル検出回路７４は、受信信号の信号レベルを検出し、この信号レベルの検出値をディジタル値で出力するものである。
【００４７】
信号レベル検出回路７４は、例えば、図９に示すように、入力端子８１からの中間周波信号をダイオード８２でアナログ的に検波し、コンデンサ８３でアナログ的に積分し、これをＡ／Ｄコンバータ８４でディジタル化して、出力端子８５から出力させるようにして構成できる。
【００４８】
また、図１０に示すように、入力端子９１からの中間周波信号をＡ／Ｄコンバータ９２でディジタル化し、ディジタル検波回路９３でディジタル的に検波し、ディジタル積分回路９４でディジタル的に積分して、出力端子９５から出力させるようしても良い。
【００４９】
更に、図１１に示すように、入力端子１０１からの中間周波信号を直交復調回路１０２に供給して、Ｉ信号とＱ信号とを復調し、復調されたＩ信号及びＱ信号を夫々Ａ／Ｄコンバータ１０３Ａ及び１０３Ｂでディジタル化し、ディジタル検波回路１０４Ａ及び１０４Ｂで夫々ディジタル的に検波し、ディジタル積分回路１０５Ａ及び１０５Ｂで夫々ディジタル的に積分して、加算回路１０６でこれらを加算して、出力端子１０７から出力させるようにしても良い。
【００５０】
図８において、信号レベル検出回路７４の出力がレベル比較回路７５に供給される。レベル比較回路７５には、端子７６から基準信号レベルが供給される。レベル比較回路７５で、信号レベル検出回路７４で検出された受信信号の信号レベルと端子７６からの基準信号レベルとが比較される。
【００５１】
レベル比較回路７５の出力がループフィルタ７７に供給される。ループフィルタ７７は、図１２に示すように、乗算回路１１１と、リミッタ回路１１２と、ＲＡＭ１１３と、加算回路１１４とにより構成される。入力端子１１０に、レベル比較回路７４からのレベル比較出力が供給される。このレベル比較出力は、乗算回路１１１を介して、加算回路１１４に供給される。加算回路１１４には、ＲＡＭ（Ｒａｎｄｏｍ  Ａｃｃｅｓｓ  Ｍｅｍｏｒｙ）１１３の出力が供給される。加算回路１１４で、乗算回路１１１を介された入力信号と、ＲＡＭ１１３の出力とが加算される。加算回路１１４の出力がリミッタ回路１１２を介してＲＡＭ１１３に供給される。ＲＡＭ１１３の出力が出力端子１１６から出力されると共に、加算回路１１４に帰還される。
【００５２】
このように、入力端子１１０からのレベル比較値に対して乗算回路１１１でゲインを乗算し、この値を累積していくことによりループフィルタが構成される。この累積値は、ＲＡＭ１１３に蓄積される。このＲＡＭ１１３に蓄積された値がＡＧＣの制御値となる。
【００５３】
ＲＡＭ１１３には、端子１１５からアドレスが与えられる。このアドレスにより、ＲＡＭ１１３の記憶領域が設定される。したがって、ＲＡＭ１１３に対するアドレスを切り換えることで、送信している端末に応じてＡＧＣの制御値を切り換えることができる。
【００５４】
図８において、ループフィルタ７７の出力がＶＧＡ７２に供給される。ＶＧＡ７２のゲインは、このループフィルタ７７の出力に応じて設定される。
【００５５】
上述のように、ループフィルタ７７には、ＲＡＭ１１３が設けられており、このＲＡＭ１１３には、送信をしている端末毎のＡＧＣ制御値が蓄えられる。コントローラ６９では、ポーリングパケットや予約情報から、信号を送信している端末が判断される。この信号を送信している端末に基づいて、コントローラ６９から切替回路７９に、切替え信号が発生される。この切替え信号により、切替回路７９からＲＡＭ１１３にこれに対応するアドレスが送られる。これにより、信号を送信している端末に応じて、ＡＧＣ制御値が切り換えられる。
【００５６】
このように、ＡＧＣ制御値をディジタル化してＲＡＭ１１３に記憶させるようにすると、アドレスの切り換えだけで、各端末毎の制御値を簡単に切り換えることができる。勿論、ＡＧＣ制御をアナログ的に行い、このＡＧＣの制御信号を各端末毎に積分器に蓄えておき、スイッチ回路により各積分器を切り換えるようにしても良い。
【００５７】
また、上述の例では、信号を送信している端末に応じて、ＡＧＣ制御値を切り換えるようにしているが、更に、ダイバシティアンテナを用いている場合には、使用するアンテナ毎にＡＧＣ制御値を切り換えるようにしても良い。
【００５８】
すなわち、図１３に示すように、例えば３つのアンテナ１２１Ａ、１２１Ｂ、１２１Ｃとからダイバシティアンテナが構成される。各アンテナ１２１Ａ、１２１Ｂ、１２１Ｃは、スイッチ１２２により切り換えられる。
【００５９】
ＡＧＣ制御値を記憶するメモリとしては、アンテナ１２１Ａ、１２１Ｂ、１２１Ｃを使ったときの各の端末に対応するＡＧＣ制御値を蓄えるＲＡＭ１２３Ａ、１２３Ｂ、１２３Ｃが夫々設けられる。ＲＡＭ１２３Ａ、１２３Ｂ、１２３Ｃは、スイッチ回路１２４により切り換えられる。ＲＡＭ１２３Ａ、１２３Ｂ、１２３Ｃの夫々には、各端末から送信された信号を受信したときのＡＧＣ制御値が蓄えられる。
【００６０】
そして、受信状態に応じて、アンテナ１２１Ａ、、１２１Ｂ、１２１Ｃが切り換えられる。このとき、受信しているアンテナがどのアンテナであるかが判断され、これに応じて、スイッチ回路１２４により、ＡＧＣ制御に用いるＲＡＭが切り換えられる。
【００６１】
すなわち、アンテナ１２１Ａを使って受信しているときには、ＲＡＭ１２３Ａを使ってＡＧＣ制御値が行なわれ、アンテナ１２１Ｂを使って受信しているときには、ＲＡＭ１２３Ｂを使ってＡＧＣ制御が行なわれ、アンテナ１２１Ｃを使って受信しているときには、ＲＡＭ１２３Ｃを使ってＡＧＣ制御が行なわれる。
【００６２】
なお、上述の例では、３つのＲＡＭ１２３Ａ、１２３Ｂ、１２３Ｃとスイッチ回路１２４を用いているが、１つのＲＡＭを３つのメモリ領域に分割して、各メモリ領域に、各アンテナ１２１Ａ、１２１Ｂ、１２１Ｃを使ったときの各の端末に対応するＡＧＣ制御値を蓄えるようにしても良い。
【００６３】
また、上述の例では、送信している端末と受信しているアンテナとに応じてＡＧＣの制御値を切り換えているが、受信しているアンテナのみでＡＧＣの制御値を切り換えるようにしても良い。
【００６４】
【発明の効果】
この発明によれば、送信を行なっている端末毎に、ＡＧＣの制御値がＲＡＭに保存されており、送信を行なっている端末が判断され、送信を行なっている端末に対応する制御値がＲＡＭから読み出されて、ＡＧＣ制御が行なわれる。これにより、送信を行なっている端末が変わっても、高速でＡＧＣループが追従できる。また、この発明によれば、フレーム中に、ＡＧＣのための特別な領域が不要であり、オーバヘッドが改善される。更に、ダイバシティーアンテナを用いた場合には、各アンテナ毎にＡＧＣの制御値をＲＡＭに保存しておくことにより、高速でＡＧＣループが追従できる。
【図面の簡単な説明】
【図１】この発明が適用された無線ＬＡＮシステムの構成を示すブロック図である。
【図２】フレーム構造の説明に用いる略線図である。
【図３】制御スロットの説明に用いる略線図である。
【図４】制御スロットとＡＧＣのレベル検出とを説明するための略線図である。
【図５】ＡＧＣ制御値の切替えの説明に用いる略線図である。
【図６】ＡＧＣ制御値の切替えの説明に用いる略線図である。
【図７】この発明が適用された無線通信ユニットの一例のブロック図である。
【図８】この発明が適用された無線通信ユニットにおけるＡＧＣ回路の一例のブロック図である。
【図９】この発明が適用された無線通信ユニットにおけるＡＧＣ回路の信号レベル検出回路の他の例のブロック図である。
【図１０】この発明が適用された無線通信ユニットにおけるＡＧＣ回路の信号レベル検出回路の更に他の例のブロック図である。
【図１１】この発明が適用された無線通信ユニットにおけるＡＧＣ回路の信号レベル検出回路の更に他の例のブロック図である。
【図１２】この発明が適用された無線通信ユニットにおけるループフィルタの一例のブロック図である。
【図１３】この発明が適用された無線通信ユニットの他の例の説明に用いるブロック図である。
【図１４】従来の無線ＬＡＮのフレーム構造の説明に用いる略線図である。
【符号の説明】
７２・・・ＶＧＡ回路，７４・・・信号レベル検出回路，７５・・・レベル比較回路，７７・・・ループフィルタ，７９・・・切替回路，１１３・・・ＲＡＭ
【図１】
0003615065.tif 000002
【図２】
0003615065.tif 000003
【図３】
0003615065.tif 000004
【図４】
0003615065.tif 000005
【図５】
0003615065.tif 000006
【図６】
0003615065.tif 000007
【図７】
0003615065.tif 000008
【図８】
0003615065.tif 000009
【図９】
0003615065.tif 000010
【図１０】
0003615065.tif 000011
【図１１】
0003615065.tif 000012
【図１２】
0003615065.tif 000013
【図１３】
0003615065.tif 000014
【図１４】
0003615065.tif 000015